(57)【特許請求の範囲】
【請求項１】
複数の着色用筆記具を保持しうる筆記具保持機構と、それらの着色用筆記具のうち何れかを線引位置へ前進させる筆記具切替機構とを備えた分包帯線引装置において、前記筆記具保持機構が、着色用筆記具を保持しうる筆記具保持部を複数装備した回転体を軸回転可能状態で保持するものであり、前記回転体が、前記の複数の筆記具保持部を回転軸心の周りに進退可能状態で且つ後退側付勢状態で装備していて回転時には前記の複数の筆記具保持部を循環移動させるものであり、前記筆記具切替機構が、前記回転体を回転運動させる回転駆動機構と、前記の複数の筆記具保持部のうち循環移動にて係合位置に来たものを前進させる直進駆動機構とを具備したものであり、前記筆記具保持部が着色用筆記具を挿抜可能に保持するものであり、前記筆記具切替機構が前記筆記具保持機構を着脱可能に支持するものである、ことを特徴とする分包帯線引装置。
【請求項２】
前記筆記具保持機構が前記筆記具切替機構の上に装着されるようになっており、装着された前記筆記具保持機構を前記筆記具切替機構が下から支持するようになっており、前記回転体と前記回転駆動機構との係合が前記筆記具保持機構の前記筆記具切替機構への着脱に応じて成立か解除するようになっている、ことを特徴とする請求項１記載の分包帯線引装置。
【請求項３】
複数の着色用筆記具を保持しうる筆記具保持機構と、それらの着色用筆記具のうち何れかを線引位置へ前進させる筆記具切替機構とを備えた分包帯線引装置において、前記筆記具保持機構が、着色用筆記具を保持しうる筆記具保持部を複数装備した回転体を軸回転可能状態で保持するものであり、前記回転体が、前記の複数の筆記具保持部を回転軸心の周りに進退可能状態で且つ後退側付勢状態で装備していて回転時には前記の複数の筆記具保持部を循環移動させるものであり、前記筆記具切替機構が、前記回転体を回転運動させる回転駆動機構と、前記の複数の筆記具保持部のうち循環移動にて係合位置に来たものを前進させる直進駆動機構とを具備したものであり、前記直進駆動機構が、前記係合位置に向けて往復移動可能に装備されていて前進時に前記係合位置の前記筆記具保持部に当接してそれを前進させる押出部材と、前記回転体とは別に回転駆動される回転部材と、前記回転部材に設けられていて前記回転部材の回転に随伴して円運動する円運動部とを具備したものであり、前記円運動部と前記押出部材とが滑節結合していて回転運動が往復運動に変換されるようになっている、ことを特徴とする分包帯線引装置。
【請求項４】
前記直進駆動機構が、前記係合位置に向けて往復移動可能に装備されていて前進時に前記係合位置の前記筆記具保持部に当接してそれを前進させる押出部材と、前記回転体とは別に回転駆動される回転部材と、前記回転部材に設けられていて前記回転部材の回転に随伴して円運動する円運動部とを具備したものであり、前記円運動部と前記押出部材とが滑節結合していて回転運動が往復運動に変換されるようになっている、ことを特徴とする請求項１又は請求項２に記載された分包帯線引装置。
【発明の詳細な説明】
【技術分野】
【０００１】
この発明は、薬剤を区分封入する分包帯に対して自動で線引きを行う分包帯線引装置およびそれを組み込んだ分包機に関し、詳しくは、線引きの色を変えるために複数の着色用筆記具を保持して線引担当筆記具を切り替えることができるものに関する。
【背景技術】
【０００２】
錠剤や散薬を長尺の分包帯に区分封入する薬剤分包機は（例えば特許文献１参照）、基本機能である分包形成を行うために、分包帯の送り経路に沿って分包帯の送出機構と薬剤の投入機構と分包帯の加熱シール機構と分包帯の牽引機構とを具備している。更に、そのような薬剤分包機のうち多くのものが、分包帯の送り経路に臨む印刷機構をも具備していて、各分包に患者名や服用情報を印刷するようになっている。
【０００３】
印刷される服用情報の代表的なものに朝・昼・夕・夜といった服用時期があり、印刷機構を装備した薬剤分包機のなかには、服用時期を文字で印刷するものの他、文字に加えて或いは文字に代えて、服用時期を色違いの着色線で描き分けるものもある。
また、薬剤師等がカラーペン等の着色用筆記具を用いて手作業で分包帯に線引きするのを支援するために、溝などのガイドラインを定規や係合蓋などに形成したものもある。
このような色分け線引きは視認性に優れるため誤飲防止や利便性の観点から薬局や病院で利用されているが、線引き装置を組み込んだ薬剤分包機にて自動で線引きする謂わば分包時自動線引方式と、薬剤分包機から分包後に取り出した分包帯に人手で線引きする謂わば分包後手動線引方式とには、一長一短がある。
【０００４】
具体的には、設備費の面では分包時自動線引方式より分包後手動線引方式の方が負担が軽く、自由度の面では、例えば、病室や薬局で分包帯を患者等に渡そうとしたときや渡した後で色分け線引きを希望されたという局面や、線引き可能な薬剤分包機が空いていなかったり稼動していないという局面では、分包後手動線引方式なら制約無く行えるので、この面でも分包時自動線引方式より分包後手動線引方式の方が良いと言える。
これに対し、能率面では分包時自動線引方式の方が分包後手動線引方式より圧倒的に良く、ひいては人件費の面でも分包時自動線引方式の方が分包後手動線引方式より良いと言える。
【０００５】
このため、分包時自動線引きが不可能な場合には分包後手動線引方式で行わざるを得ないが、分包時自動線引きが可能であれば、分包機に組み込まれた分包帯線引装置による分包時自動線引きが優先的に行われることが多い。
このような分包時自動線引方式の分包帯線引装置は、印刷機構と共に分包機に組み込まれて分包帯の送り経路に臨み、印刷機構の印字と同様に分包帯の長手方向送りに同期して線引きを行うが、印刷機構の印字と異なり色分けも行うようになっている。
【０００６】
そして、そのために、分包時自動線引方式の分包帯線引装置は、複数の着色用筆記具を保持する筆記具保持機構と、それらの着色用筆記具のうち線引きを担当する筆記具を分包帯に向けて進退させることで線引担当筆記具を切り替える筆記具切替機構とを具備することなるが、それらの機構を一般的な手法で具体化した分包帯線引装置では、筆記具保持機構が複数の着色用筆記具を直線状に並べて保持することになり、さらに、筆記具切替機構が一つの着色用筆記具を進退させるものになり、そのような筆記具切替機構を筆記具保持機構における着色用筆記具の保持部それぞれに対応させて複数設けることになる。
【先行技術文献】
【特許文献】
【０００７】
【特許文献１】特開２００６−３２１５１６号公報
【発明の概要】
【発明が解決しようとする課題】
【０００８】
ところで、既述したように薬剤の服用時期は朝・昼・夕・夜の四つに分けられることが通例であることから、分包帯線引の色分けは４色以上であることが望まれるので、実用性を考慮すると、既述したような構成の仕方では、最小構成ですら、筆記具保持機構が４本の着色用筆記具を保持するものとなり、進退駆動や駆動制御を伴う筆記具切替機構が４個ほど設けられることになる。
そのため、そのような分包時自動線引方式の分包帯線引装置では、或る程度の複雑化や大規模化を避けることができない。
【０００９】
しかしながら、分包帯線引装置を組み込む薬剤分包機が錠剤分包機であれ散薬分包機であれ、分包帯線引装置を組み込む所は薬剤分包機の最下段に組み込まれた包装装置の内部であり、そこは最下段の部分というだけでも狭いのに、分包ロールや，分包帯の送出機構と引き回し機構と牽引機構，更には印刷機構，薬剤投入機構，加熱シール機構などが既に装備されていて、空きは僅かしか無い。そのため、既述した構成の分包帯線引装置では、薬剤分包機への組み込み時に、薬剤分包機の大型化まで惹起しかねない。
そして、そのような不都合を払拭するには、分包帯線引装置の小型化を図ることが重要なので、個数の多い筆記具切替機構を減らして出来れば一つにすることが思い浮かぶ。
【００１０】
とはいえ、筆記具切替機構を一つにして筆記具保持機構全体を進退させるといった安直な改造では、駆動機構や駆動回路が大型化して筆記具切替機構の小型化の効果がかなり相殺されてしまうばかりか、進退対象が１本の着色用筆記具とその保持部分という小質量のものから４本以上の着色用筆記具と筆記具保持機構全体という大質量のものになるため、進退速度が制約されて、例えば点線を書く速度が遅くなりかねず、ひいては分包帯の送り速度に依存する分包速度まで遅くなりかねない、という不満が残る。
そこで、筆記具切替機構が一つの着色用筆記具しか進退させられないものであっても筆記具切替機構が筆記具保持機構における着色用筆記具の保持部の個数より少なくて済み小型化に適した分包帯線引装置を実現することが課題となる。
【課題を解決するための手段】
【００１１】
本発明の分包帯線引装置は（解決手段１）、このような課題を解決するために創案されたものであり、複数の着色用筆記具を保持しうる筆記具保持機構と、それらの着色用筆記具のうち何れかを線引位置へ前進させる筆記具切替機構とを備えた分包帯線引装置において、前記筆記具保持機構が、着色用筆記具を保持しうる筆記具保持部を複数装備した回転体を軸回転可能状態で保持するものであり、前記回転体が、前記の複数の筆記具保持部を回転軸心の周りに進退可能状態で且つ後退側付勢状態で装備していて回転時には前記の複数の筆記具保持部を循環移動させるものであり、前記筆記具切替機構が、前記回転体を回転運動させる回転駆動機構と、前記の複数の筆記具保持部のうち循環移動にて係合位置に来たものを前進させる直進駆動機構とを具備したものである、ことを特徴とする。
【００１２】
また、本発明の分包帯線引装置は（解決手段２）、上記解決手段１の分包帯線引装置であって、前記筆記具保持部が着色用筆記具を挿抜可能に保持するものであり、前記筆記具切替機構が前記筆記具保持機構を着脱可能に支持するものである、ことを特徴とする。
【００１３】
さらに、本発明の分包帯線引装置（解決手段３）、上記解決手段２の分包帯線引装置であって、前記筆記具保持機構が前記筆記具切替機構の上に装着されるようになっており、装着された前記筆記具保持機構を前記筆記具切替機構が下から支持するようになっており、前記回転体と前記回転駆動機構との係合が前記筆記具保持機構の前記筆記具切替機構への着脱に応じて成立か解除するようになっている、ことを特徴とする。
【００１４】
また、本発明の分包帯線引装置は（解決手段４）、上記解決手段１〜３の分包帯線引装置であって、前記直進駆動機構が、前記係合位置に向けて往復移動可能に装備されていて前進時に前記係合位置の前記筆記具保持部に当接してそれを前進させる押出部材と、前記回転体とは別に回転駆動される回転部材と、前記回転部材に設けられていて前記回転部材の回転に随伴して円運動する円運動部とを具備したものであり、前記円運動部と前記押出部材とが滑節結合していて回転運動が往復運動に変換されるようになっている、ことを特徴とする。
【００１５】
また、本発明の薬剤分包機は（解決手段５）、上記解決手段１〜４の分包帯線引装置を分包帯の送り経路に臨ませて装備したものであって、前記分包帯線引装置との間に前記送り経路を挟む状態で前記送り経路に臨ませて分包帯後退防止部材を具備しており、前記分包帯後退防止部材が、前記係合位置で前記筆記具切替機構によって前進させられた着色用筆記具に押されて前記分包帯が後退するのを抑制するようになっている、というものである。
【００１６】
また、本発明の分包帯線引装置は（解決手段６）、上記解決手段１〜４の分包帯線引装置であって、前記係合位置で前記筆記具切替機構によって前進させられた着色用筆記具に押されて前記分包帯が後退するのを抑制する分包帯後退防止部材が、前記分包帯の送り経路の下方で前記筆記具切替機構に取り付けられている、ことを特徴とする。
【発明の効果】
【００１７】
このような本発明の分包帯線引装置にあっては（解決手段１）、筆記具保持部を複数装備した所謂リゾルバー式・レゾルバー式の回転体を筆記具保持機構の要部に採用するとともに、線引時に前進させる筆記具保持部を何れも後退側に付勢しておくようにしたことにより、筆記具保持部をコンパクトに纏めることができる。しかも、筆記具切替機構に回転駆動機構と直進駆動機構とを装備して、回転駆動機構にて回転体を軸回転させることで複数の筆記具保持部を循環移動させるとともに、その循環移動にて係合位置に来た筆記具保持部を直進駆動機構にて前進させるようにもしたことにより、筆記具切替機構が一つでも任意の筆記具保持部ひいては任意の着色用筆記具を線引きに供することができる。
したがって、この発明によれば、筆記具切替機構が一つの着色用筆記具しか進退させられないものであっても筆記具切替機構が筆記具保持機構における着色用筆記具の保持部の個数より少なくて済み小型化に適した分包帯線引装置を実現することができる。
【００１８】
また、本発明の分包帯線引装置にあっては（解決手段２）、着色用筆記具を筆記具保持部に射し込んで保持させるとともに抜き取って筆記具保持部から外すようにしたことにより、筆記具保持機構がよりコンパクトになるとともに、筆記具保持機構を筆記具切替機構から脱着できるようにもしたことにより、筆記具保持機構を狭苦しい装置内空間から装置外の広い所へ出して着色用筆記具の挿抜を行えるので、着色用筆記具の着脱が例え筆記具の長手方向への挿抜であっても楽に行えるので、着色用筆記具の交換等が容易になるとともに、露出している着色用筆記具の筆先に触れて手を汚すという不所望な事態が起こり難くなって、筆記具保持機構の清掃作業が容易かつ的確に行えることとなる。
筆記具保持機構に予備がある場合や、分包帯線引装置が薬剤分包機と共に複数存在している場合などには、異なる色セットの着色用筆記具を夫々の筆記具保持機構にセット分けして予め挿着しておくことにより、多色を一斉に切り替える作業を筆記具保持機構の付け替えで容易かつ迅速に行うことができる。
【００１９】
さらに、本発明の分包帯線引装置にあっては（解決手段３）、筆記具保持機構と筆記具切替機構とを上下に配置したことにより、筆記具保持機構の着脱作業が一層楽になるとともに、分包帯の送り経路に臨ませて薬剤分包機に組み込むに際して線引位置を分包体に適合させるのが容易になるため、分包帯線引装置全体をもコンパクトに纏めることができるばかりか、薬剤分包機の内部に配設箇所を確保しやすくなる。しかも、そのような上下配置に加えて、筆記具保持機構を筆記具切替機構に対して着脱するとそれに随伴して回転体と回転駆動機構との係合状態ひいては伝動状態が切り替わるようにもしたことにより、筆記具保持機構の着脱をワンタッチ的に素早く簡便に済ませることができる。
【００２０】
また、本発明の分包帯線引装置にあっては（解決手段４）、回転部材を回転させるとその回転角ひいては円運動部の円内位置に応じて押出部材の進退位置ひいては押出部材の押出先の筆記具保持部および線引担当筆記具の進退位置が変わるので、線引きの不要なときには押出部材ひいては線引担当筆記具を後退させた所で回転部材の回転を止めおくだけで線引きを省くことができ、実線を引きたいときには押出部材ひいては線引担当筆記具を前進させた所で回転部材の回転を止めおくだけで長手方向送りの分包帯に所望の実線を引くことができ、破線を引きたいときには回転部材を継続的に回転させるだけで押出部材ひいては線引担当筆記具が繰り返し進退するので長手方向送りの分包帯に所望の破線を引くことができる。そのため、比較的簡単な制御でも線を描き分けることができる。
しかも、押出部材が後退時には筆記具保持部から離れているので、筆記具保持機構を筆記具切替機構に対して着脱するときの作業性が損なわれることも無い。
【００２１】
また、本発明の薬剤分包機（解決手段５）および分包帯線引装置（解決手段６）にあっては、分包帯後退防止部材を設けて分包帯の後退が抑制されるようにもしたことにより、線引き時に分包帯が過剰に変形するのが防止されるので、綺麗な線が引けるとともに、分包帯の長手方向の送りが円滑に行われる。
【００２２】
また、本発明の分包帯線引装置にあっては（解決手段６）、分包帯の過剰変形を防止するという上述の作用効果を奏するにとどまらず、分包帯後退防止部材が分包帯の送り経路の下方で筆記具切替機構に取り付けられていることから、送り経路へ上方から分包帯を差し込むという分包帯セッティング作業の妨げになることが無い状態で、分包帯後退防止部材と筆記具切替機構とが一体化される。そのため、筆記具切替機構分に帯する包帯後退防止部材の位置決めといった調整作業を、薬剤分包機への装着前に予め済ませておくことができるうえ、薬剤分包機の外の広いところで楽に行うことができる。
【図面の簡単な説明】
【００２３】
【図１】本発明の実施例１について、分包帯線引装置の構造をカバーを外した斜視図で示しており、（ａ）が左前から見下ろした斜視図、（ｂ）が左後から見下ろした斜視図である。なお、斜視図は、線引側を前・正面とし、左右を正面視で定めている。
【図２】分包帯線引装置の構造をカバーを付けた斜視図で示しており、（ａ）が左前から見下ろした斜視図、（ｂ）が右前から見下ろした斜視図である。
【図３】（ａ）が筆記具保持機構を右前から見下ろした斜視図、（ｂ）が分包帯の送り経路に臨む分包帯線引装置その他の各機構の配置図である。
【図４】分包帯線引装置を装備した薬剤分包機の構造を示し、（ａ）が薬剤分包機の模式図、（ｂ）が包装装置の要部の平面図である。
【図５】分包帯線引装置と印字機構との配置例をし、（ａ）が並行配置の平面図、（ｂ）が対向配置の平面図である。
【図６】線引対象の分包帯を示し、（ａ）が線引きしない状態、（ｂ）が実線を引いた状態、（ｃ）が破線を引いた状態である。
【発明を実施するための形態】
【００２４】
このような本発明の分包帯線引装置および薬剤分包機について、これを実施するための具体的な形態を、以下の実施例１により説明する。
図１〜６に示した実施例１は、上述した解決手段１〜６（出願当初の請求項１〜６）を総て具現化したものである。
なお、それらの図示に際しては、モータドライバ等の電気回路や，コントローラ等の電子回路などは図示を割愛し、発明の説明に必要なものや関連するものを中心に図示した。
【実施例１】
【００２５】
本発明の分包帯線引装置および薬剤分包機の実施例１について、その具体的な構成を、図面を引用して説明する。
【００２６】
なお、各図のうち、斜視図については、視線の向きを示すに際し、線引側を前・正面とし、左右を正面視で定めている。
図１は、カバー１３を取り外した分包帯線引装置１０の外観図であり、（ａ）が左前から見下ろした斜視図、（ｂ）が左後から見下ろした斜視図である。
また、図２は、カバー１３を取り付けた分包帯線引装置１０の外観図であり、（ａ）が左前から見下ろした斜視図、（ｂ）が右前から見下ろした斜視図である。
【００２７】
さらに、図３は、（ａ）が筆記具保持機構３０を右前から見下ろした斜視図、（ｂ）が分包帯７０の送り経路５３に臨む分包帯線引装置１０とその他の各機構５２〜５７の配置図である。また、図４は、（ａ）が分包帯線引装置１０を装備した薬剤分包機４０の模式図、（ｂ）が包装装置５０の要部の平面図である。図５は、（ａ）が分包帯線引装置１０と送り経路５３とを並行配置したところの平面図、（ｂ）が分包帯線引装置１０と送り経路５３とを対向配置したところの平面図である。図６（ａ）は、線引の対象となる分包帯７０の外観図である。
【００２８】
分包帯線引装置１０は（図１〜図３（ａ）参照）、既述した分包時自動線引方式の分包帯線引装置と同様、複数の着色用筆記具６０を保持しうる筆記具保持機構３０と、それらの着色用筆記具６０のうち何れかを線引位置へ前進させる筆記具切替機構２０とを備えたものであるが、各機構２０，３０の構造が以下に述べるように改良されている。
さらに、この分包帯線引装置１０には、後で詳述するが、分包帯後退防止部材１２が予め一体的に取り付けられている（図２参照）。
【００２９】
筆記具保持機構３０は（図１〜図３（ａ）参照）、回転体３３を軸支するための軸受を中央部に具備しており筆記具切替機構２０の上に装着される軸支部３１と、軸支部３１によって軸回転可能状態に保持されて回転軸方向・回転中心を前後に向けた回転体３３と、回転体３３の前端面に装着されて軸支部３１の前方に位置し回転体３３に回転力を伝達する伝動歯車３２と、回転体３３に装着された四つの筆記具保持部３４，３４…とを具えたものであり、伝動歯車３２が回転力を受けて回転運動すると回転体３３が軸回転し筆記具保持部３４，３４…が循環移動するようになっている。
【００３０】
回転体３３は（図１（ｂ）参照）、複数の筆記具保持部３４，３４…（同図では一つを省いて三つだけ表示）を回転軸心の周りに装備していて、回転時にはそれら筆記具保持部３４，３４…を循環移動させるようになっている。
筆記具保持部３４は、何れも（図３（ａ）参照）、前後に細長い略筒状体からなり、解放前端面から差し込まれた着色用筆記具６０を挿抜可能に保持するようになっている。しかも、個々に（図１〜図３（ａ）参照）、回転体３３の貫通穴に挿通されて前後方向で進退可能な状態になっており、而もバネ等の弾性体によって回転体３３から後退側へ付勢されている。また、何れにも、被当接部３５が外周方向を向く状態で設けられている。
【００３１】
筆記具切替機構２０は（図１参照）、底板２１とその両側部に立設された枠板２２とその上に装着された上板とからなる枠体部と、それに内蔵や外装された回転駆動機構２３〜２５と直進駆動機構２６〜２８とを具えたものである。
回転駆動機構２３〜２５は（図１（ａ）参照）、図示しない制御装置の制御に従って回転動作するモータ２３と、その回転運動を出力する駆動歯車２４と、その回転力を伝動歯車３２に伝達するための伝動歯車２５とを具備していて、筆記具切替機構２０に装着された筆記具保持機構３０の回転体３３を回転運動させるようになっている。
【００３２】
直進駆動機構２６〜２８は（図１（ｂ）参照）、やはり上述した制御装置の制御に従って回転動作するモータ２６と、その回転運動を出力する回転駆動される回転部材２６ａと、回転部材２６ａの端面のうち回転中心から離れた部位に立設されていて回転部材２６ａが回転するとそれに随伴して円運動を行う円運動部２７と、係合位置１１に向けて往復移動可能に装備されていて前進時に係合位置１１の筆記具保持部３４の被当接部３５の後面に当接する押出部材２８とを具備したものである。この係合位置１１は、循環移動にて最下の位置に来た筆記具保持部３４とそこに待っていた押出部材２８との係合に係るものであり、その最下位置の筆記具保持部３４が前進すると、これに保持されている着色用筆記具６０の筆先部６１が分包帯７０に当接するので、着色用筆記具６０に係る線引位置と筆記具保持部３４に係る係合位置１１は、一対一で対応しているものと言える。
【００３３】
さらに、それらの部材のうち円運動部２７と押出部材２８とが滑節結合していて円運動部２７の回転運動が押出部材２８の往復運動に変換されるようになっているので、直進駆動機構２６〜２８は、筆記具保持機構３０の回転体３３に保持されている複数の筆記具保持部３４，３４…のうち循環移動にて係合位置１１に来たものを前進させるものとなっている。さらに、上述した制御装置がモータ２３とモータ２６とを個別に制御するので、回転部材２６ａが上述の回転体３３とは個別に回転動作可能であり、ひいては、回転駆動機構２３〜２５による筆記具保持部３４の循環移動と、直進駆動機構２６〜２８による係合位置１１の筆記具保持部３４の進退運動とが、個別に行えるものとなっている。
【００３４】
筆記具切替機構２０と筆記具保持機構３０とは、筆記具保持機構３０の軸支部３１の下端部に上側着脱部３６が設けられるとともに（図２（ｂ），図３（ａ）参照）、それに対応した下側着脱部２９が筆記具切替機構２０の上面部に設けられていて（図２（ｂ）参照）、左右への相対移動で両者の２９，３６の係合が確立や解消されるので、筆記具切替機構２０が筆記具保持機構３０を着脱可能に支持するようになっている。そのため、筆記具保持機構３０を筆記具切替機構２０の上で係合確立側へ横滑りさせることにより、筆記具保持機構３０が筆記具切替機構２０の上に装着されるとともに、装着された筆記具保持機構３０を筆記具切替機構２０が下から支持するようになっている（図２（ａ）参照）。
【００３５】
また（図２（ｂ）参照）、筆記具保持機構３０を係合解消側へ横滑りさせることで、筆記具保持機構３０が筆記具切替機構２０から取り外せるようにもなっている。
さらに（図１，図２参照）、筆記具切替機構２０と筆記具保持機構３０とは、伝動歯車２５と伝動歯車３２との噛合についても、両者２０，３０の着脱に随伴して、歯車２５，３２の噛合の確立と解消とが行われることから、回転体３３と回転駆動機構２３〜２５との係合が筆記具保持機構３０の筆記具切替機構２０への着脱に応じて成立か解除するようなものとなっている。
【００３６】
分包帯後退防止部材１２は（図２参照）、例えば下端部が短く立設部が長いＬ字形の板状部材からなり、下端部が筆記具切替機構２０の枠板２２の前端部にネジ止め等で固定されて、立設部の上端部分が、係合位置１１の筆記具保持部３４及び着色用筆記具６０の前方に位置するものであり、分包帯線引装置１０を分包帯７０の送り経路５３に臨ませて設置するときには（図３（ｂ）参照）、分包帯７０が分包帯後退防止部材１２と係合位置１１の筆記具保持部３４及び線引き置の着色用筆記具６０との間に来るように設置がなされるので、分包帯後退防止部材１２は、分包帯７０の送り経路５３の下方で筆記具切替機構２０に取り付けられているものとなる。そして、その設置状態では、係合位置１１の筆記具保持部３４が筆記具切替機構２０によって前進させられると、それに随伴して線引位置（１１）の着色用筆記具６０が前進し、その筆先部６１が分包帯７０に当接して当接部位を押すことになるが、その先に分包帯後退防止部材１２が控えているので、分包帯後退防止部材１２は、分包帯７０が必要以上に後退するのを抑制するものとなっている。
【００３７】
薬剤分包機４０は（図３（ｂ），図４，図５参照）、上述した分包帯線引装置１０を分包帯７０の送り経路５３に臨ませて装備したものであり、分包帯線引装置１０の本体部である筆記具切替機構２０と筆記具保持機構３０と、分包帯線引装置１０の付加部である分包帯後退防止部材１２との間に、分包帯７０及びその送り経路５３を挟む状態で、分包帯後退防止部材１２の付いた分包帯線引装置１０を搭載している。
詳述すると、包装装置５０は（図４（ａ）参照）、分包対象の錠剤を落下させる錠剤供給部４１と、分包対象の散薬を落下させる散薬供給部４２と、それらの落下薬剤を受け入れて分包帯７０に区分封入する包装装置５０と、図示しない制御装置とを備えている。
【００３８】
そのうち包装装置５０では（図３（ｂ），図４（ｂ）参照）、基板５１の上面に、分包帯７０をロールから解いて順に送り出す送給部５２が配設されるとともに、その分包帯７０を長手方向へ順送りするときの送り経路５３に臨んで分包帯線引装置１０と印字機構５４と薬剤投入機構５５と封着機構５６と牽引機構５７も基板５１の上面に配設されている。そのうち分包帯線引装置１０の設置に際しては、上述のように分包帯線引装置１０と分包帯後退防止部材１２との間に送り経路５３が挟まれる状態で、更には係合位置１１の筆記具保持部３４に保持された着色用筆記具６０の筆先部６１が線引位置に来る状態で、分包帯線引装置１０付きの分包帯線引装置１０が基板５１に取り付けられる。さらに、印字機構５４の隣に必要空間が確保できればそこに分包帯線引装置１０の本体部（２０，３０）が設置されるが（図５（ａ）参照）、印字機構５４の隣が狭い場合は（図５（ｂ）参照）、そこには分包帯後退防止部材１２だけを置き、分包帯線引装置１０の本体部（２０，３０）は印字機構５４の斜め前方に対向配置される。
【００３９】
この実施例１の分包帯線引装置１０および薬剤分包機４０について、その使用態様及び動作を、図面を引用して説明する。図６は、線引対象の分包帯７０を示し、（ａ）が線引きしない状態、（ｂ）が着色線８０として実線８１を引いた状態、（ｃ）が着色線８０として破線８２を引いた状態である。なお、分包帯７０を図示するに際して、包袋部７２への具体的な印字例および包袋部７２の中の薬剤に係る図示は割愛した
【００４０】
薬剤分包機４０の使用に先だって分包帯線引装置１０に着色用筆記具６０を装着しておく。着色用筆記具６０は、インクの乾きにくいものであれば市販のカラーペン等で良く、円柱状本体の一端面の中心から筆先部６１が突き出た状態で使用する（図３（ａ）参照）。詳述すると、例えば朝・昼・夕・夜といった一日当たり四回の服用が想定される場合、各服用に一色ずつ対応させた計四色の着色用筆記具６０，６０…を準備する。そして、該当する薬剤分包機４０の包装装置５０から基板５１を引き出し（図４参照）、そこの分包帯線引装置１０に対して筆記具切替機構２０から筆記具保持機構３０を取り外し（図２（ｂ）参照）、その筆記具保持機構３０の筆記具保持部３４，３４…に着色用筆記具６０を挿着する（図３（ａ）参照）。それから、その筆記具保持機構３０を元の筆記具切替機構２０に再び取り付け（図２（ａ）参照）、基板５１を包装装置５０の中に押し戻す。
【００４１】
そして、該当する薬剤分包機４０の動作準備が調ったら、具体的には、錠剤供給部４１や散薬供給部４２に分包対象の錠剤や散薬が揃うとともに（図４（ａ）参照）、包装装置５０の送り経路５３に分包帯７０がセットされていることが確認できたら（図３（ｂ），図４（ｂ）参照）、分包帯７０への線引き指示を含む調剤データを薬剤分包機４０に指示操作やダウンロード等にて与える。そうすると、後は調剤データに基づく分包帯７０の制御装置の自動制御によって、分包帯７０への薬剤投入と区分封止とが繰り返されて包袋部７２が次々に作られるとともに（図６参照）、分包帯７０への線引きが行われる。
【００４２】
線引きについて詳述すると、線引き指示が「無」の場合（図６（ａ）参照）、押出部材２８が後退位置に止まり続けることから、着色用筆記具６０の筆先部６１が分包帯７０に触れないので、分包帯７０の封着縁部７１に線は引かれない。
これに対し、線引き指示が「実線」の場合（図６（ｂ）参照）、筆記具保持部３４，３４…の循環移動により服用時期に該当する色の着色用筆記具６０が線引位置に来、それから押出部材２８が前進して前進に止まり続けることから、着色用筆記具６０の筆先部６１が分包帯７０に当接し続けるので、分包帯７０の長手方向送りに伴って例えば包袋部７２の最上位の部分を通る所に実線８１が引かれる。
【００４３】
また、線引き指示が「破線」の場合（図６（ｃ）参照）、やはり筆記具保持部３４，３４…の循環移動により服用時期に該当する色の着色用筆記具６０が線引位置に来るが、この場合は、その後、分包帯７０が薬剤分包のために長手方向に送られているときに、その長手方向送りに同期しながら回転部材２６ａが回転する。そのため、押出部材２８が進退を繰り返すことから、着色用筆記具６０の筆先部６１と分包帯７０とが断続的に当接するので、分包帯７０の長手方向送りに伴って包袋部７２の最上部等に破線８２が引かれる。
こうして、薬剤分包機４０によって自動作成される分包帯７０には、包袋部７２の部位に通常の印字がなされるのに加えて、封着機構５６での熱融着の影響を受ける封着縁部７１を避けるとともに印字機構５４での印字領域をもなるべく避けることができる部位である包袋部７２の最上部等に、線引指示に応じて、服用時期に対応した色付きの線引きがなされる。
【産業上の利用可能性】
【００４４】
本発明の分包帯線引装置は、色を替えるときに線引きを中断して着色用筆記具の循環を行うものであることから、服用時期毎に纏める分包態様（例えば、朝の分については該当する複数日の分包をそれらだけ一纏めにし、昼の分についても同様に昼の分だけを一纏めにする形）の分包帯への線引きに好適なものであるが、それに適用が限られる訳でなく、服用時期の異なるものが一纏めになった分包帯についても、能率より自動処理を優先させるのであれば、適用が可能であり、有用である。
本発明の薬剤分包機は、上例の如く錠剤供給部と散薬供給部との双方を装備している薬剤分包機に適用が限られる訳でなく、錠剤だけを取り扱う錠剤分包機や、散薬だけを取り扱う散薬分包機にも、適用することができる。
さらに、４色より多い色分け線引きにも適用することができる。
【符号の説明】
【００４５】
１０…分包帯線引装置、
１１…係合位置、１２…分包帯後退防止部材、１３…カバー
２０…筆記具切替機構、
２１…底板、２２…枠板、
２３〜２５…回転駆動機構、２３…モータ、２４…駆動歯車、２５…伝動歯車、
２６〜２８…直進駆動機構、２６…モータ、２６ａ…回転部材、
２７…円運動部、２８…押出部材、２９…下側着脱部、
３０…筆記具保持機構、
３１…軸支部、３２…伝動歯車（回転受動部）、
３３…回転体、３４…筆記具保持部、３５…被当接部、３６…上側着脱部、
４０…薬剤分包機、４１…錠剤供給部、４２…散薬供給部、
５０…包装装置、５１…基板、５２…送給部、５３…送り経路、
５４…印字機構、５５…薬剤投入機構、５６…封着機構、５７…牽引機構、
６０…着色用筆記具、６１…筆先部、
７０…分包帯、７１…封着縁部、７２…包袋部、
８０…着色線、８１…実線、８２…破線
【図１】
0006555689.tif 000002
【図２】
0006555689.tif 000003
【図３】
0006555689.tif 000004
【図４】
0006555689.tif 000005
【図５】
0006555689.tif 000006
【図６】
0006555689.tif 000007